(57)【要約】【課題】  本発明は、小型化による携帯性を格段と向上し得るスピーカ装置を実現するものである。【解決手段】  キャビネットにスピーカが搭載されたスピーカ装置において、キャビネットは、スピーカの放音部が露出して搭載された前壁部材と、前壁部材に対向して設けられた後壁部材と、前壁部材及び後壁部材の両側端に掛合され、前壁部材及び後壁部材間の内部に折り畳み自在に形成された一対の側壁部材とを設け、使用時には、各側壁部材が前壁部材及び後壁部材の両側壁を形成してキャビネット全体を箱型形状にする一方、携帯時には、各側壁部材が前壁部材及び後壁部材間の内部に折り畳まれるようにした。【選択図】        図３
2005109545.tif 000002
【特許請求の範囲】
【請求項１】
キャビネットにスピーカが搭載されたスピーカ装置において、
上記キャビネットは、
上記スピーカの放音部が露出して搭載された前壁部材と、
上記前壁部材に対向して設けられた後壁部材と、
上記前壁部材及び上記後壁部材の両側端に掛合され、上記前壁部材及び上記後壁部材間の内部に折り畳み自在に形成された一対の側壁部材と
を具え、
使用時には、各上記側壁部材が上記前壁部材及び上記後壁部材の両側壁を形成して上記キャビネット全体を箱型形状にする一方、携帯時には、各上記側壁部材が上記前壁部材及び上記後壁部材間の内部に折り畳まれる
ことを特徴とするスピーカ装置。
【請求項２】
上記キャビネットを形成する各上記側壁部材は、上記携帯時には、上記前壁部材及び上記後壁部材間を支持する
ことを特徴とする請求項１に記載のスピーカ装置。
【請求項３】
上記使用時における上記キャビネットの形状は、上記前壁部材、上記後壁部材及び各上記側壁部材からなる三角柱状の箱型でなる
ことを特徴とする請求項１に記載のスピーカ装置。
【請求項４】
上記前壁部材に搭載された上記スピーカの傾斜角度を、ユーザの聴音位置に合わせて設定するようにした
ことを特徴とする請求項３に記載のスピーカ装置。
【発明の詳細な説明】
【技術分野】
【０００１】
本発明はスピーカ装置に関し、例えば携帯型のスピーカ装置に適用して好適なものである。
【背景技術】
【０００２】
従来、この種の携帯型のスピーカ装置は、携帯用に小型化されたＭＤ（Mini Disc）プレーヤに付随するオプション機器として、ユーザが外出先においても当該ＭＤプレーヤからの再生音声を聴音するために用いられるものが多い。
【０００３】
通常、携帯型のスピーカ装置としては、薄型平面形状のスピーカ（以下、これをフラットスピーカと呼ぶ）が使用される場合が多い。このようなフラットスピーカ１は、図５に示すように、多極着磁が施された２枚のプラスティック磁石板２Ａ、２Ｂの間に、コイルが平面状に配設されたフレキシブル薄膜でなる振動板３をバッファ４Ａ、４Ｂを介して挟み込むようにして構成されている。
【０００４】
かかるフラットスピーカを複数設けたスピーカ装置の場合、例えば折り畳み機構などの携帯時及び使用時とで形状を変化させるような機構をもたせるようにして、より一層携帯時の小型化を図るようになされたものが多々提案されている。
【特許文献１】実開昭６０−１５３０９２号公報（図１〜図３）
【発明の開示】
【発明が解決しようとする課題】
【０００５】
ところでかかる折り畳み機構をもつスピーカ装置では、各フラットスピーカ１を形成する振動板３（図５）は、平面振動により平面波でなる音波を前後方向（すなわち振動面に対する法線方向）にそれぞれ出力するが、前方向の音波に対して後方向の音波が逆位相であるため、前方向の音波が後方向に周り込んだ際に双方の音波が干渉して打ち消し合うおそれがある。
【０００６】
このような音の周り込みによる不具合が生じるのを防止すべく、スピーカ装置において、各フラットスピーカを所定サイズのキャビネットに収容するようにして、当該各フラットスピーカの前面側を筐体外部から露出させると共に後面側を筐体内部に覆い隠すようにした手法が提案され実現されている。
【０００７】
その際使用されるキャビネットのサイズは、各フラットスピーカから出力される音波の共振周波数に応じて決定されることから、当該各フラットスピーカが比較的大きい場合には、それに応じてキャビネットのサイズも大きくする必要がある。
【０００８】
しかしながら、複数のフラットスピーカが収容されたキャビネット自体を、携帯時及び使用時とで形状を変化させるのは実用上未だ困難な問題があった。
【０００９】
本発明は以上の点を考慮してなされたもので、小型化による携帯性を格段と向上し得るスピーカ装置を提案しようとするものである。
【課題を解決するための手段】
【００１０】
かかる課題を解決するため本発明においては、キャビネットにスピーカが搭載されたスピーカ装置において、キャビネットは、スピーカの放音部が露出して搭載された前壁部材と、前壁部材に対向して設けられた後壁部材と、前壁部材及び後壁部材の両側端に掛合され、前壁部材及び後壁部材間の内部に折り畳み自在に形成された一対の側壁部材とを設け、使用時には、各側壁部材が前壁部材及び後壁部材の両側壁を形成してキャビネット全体を箱型形状にする一方、携帯時には、各側壁部材が前壁部材及び後壁部材間の内部に折り畳まれるようにした。
【００１１】
このようにスピーカ装置では、使用時にはキャビネットの内部空間を実用上十分なサイズにまで確保する一方、携帯時には各側壁部材を前壁部材及び後壁部材間に折り畳むようにしてキャビネットを小型化することができ、この結果、スピーカを搭載したキャビネットの形状を使用時の不具合防止と携帯時の小型化とを両方兼ね備えることができる。
【発明の効果】
【００１２】
上述のように本発明によれば、キャビネットにスピーカが搭載されたスピーカ装置において、キャビネットは、スピーカの放音部が露出して搭載された前壁部材と、前壁部材に対向して設けられた後壁部材と、前壁部材及び後壁部材の両側端に掛合され、前壁部材及び後壁部材間の内部に折り畳み自在に形成された一対の側壁部材とを設け、使用時には、各側壁部材が前壁部材及び後壁部材の両側壁を形成してキャビネット全体を箱型形状にする一方、携帯時には、各側壁部材が前壁部材及び後壁部材間の内部に折り畳まれるようにしたことにより、スピーカを搭載したキャビネットの形状を使用時の不具合防止と携帯時の小型化とを両方兼ね備えることができ、かくして小型化による携帯性を格段と向上し得るスピーカ装置を実現できる。
【発明を実施するための最良の形態】
【００１３】
以下図面について、本発明の一実施の形態を詳述する。
【００１４】
（１）本実施の形態によるスピーカ装置の構成
図１において、１は全体として本実施の形態による携帯型のスピーカ装置１０を示し、例えばプラスチック等の合成樹脂材から構成された三角柱状の箱型のキャビネット１１は、底面部分が開口されており、当該底面部分が当接されるように床面に載置された際に内部の密閉性をほぼ保つように形成されている。
【００１５】
このキャビネット１１は、一対のフラットスピーカ１２Ａ、１２Ｂが搭載された前壁面を形成する四角形状のプラスチック平板（以下、これをフロント平板と呼ぶ）１１Ａと、所定数の外部端子（図２に示す１３Ａ〜１３Ｃ）が設けられた後壁面を形成する四角形状のプラスチック平板（以下、これをリア平板と呼ぶ）１１Ｂとが、それぞれ一辺の縁部同士が当接押圧した状態で近接又は離反自在に保持されている。
【００１６】
またフロント平板１１Ａ及びリア平板１１Ｂの両側端には、それぞれ側壁面を形成する三角形状のプラスチック平板（以下、これをサイド平板と呼ぶ）１１Ｃ、１１Ｄの２辺の縁部が、それぞれヒンジ部（後述する図４（Ａ）に示す１４Ａ〜１４Ｄ）を介して掛合され、当該各サイド平板１１Ｃ、１１Ｄの形状変化に合わせてフロント平板１１Ａ及びリア平板１１Ｂ間の傾斜角度を変化させ得るようになされている。
【００１７】
すなわちこれら各サイド平板１１Ｃ、１１Ｄは、２枚の三角形状でなる平板（以下、これらを第１及び第２のサイド平板片と呼ぶ）１１ＣＡ、１１ＣＢ、１１ＤＡ、１１ＤＢの一辺の縁部同士がヒンジ部１５Ａ、１５Ｂを介して掛合され、当該縁部を回動中心として第１及び第２のサイド平板片１１ＣＡ、１１ＣＢ、１１ＤＡ、１１ＤＢが所定の角度範囲内で折り曲がるようになされている。
【００１８】
この図１において、スピーカ装置１０は、実際の使用時の状態にあり、キャビネット１１を形成するフロント平板１１Ａ、リア平板１１Ｂ及び各サイド平板１１Ｃ、１１Ｄの下縁部が、当該キャビネット１１の底面部分として同一平面を形成するように平坦化した状態にある。
【００１９】
かかるキャビネット１１において、フロント平板１１Ａには、表面の所定位置から一対のフラットスピーカ１２Ａ、１２Ｂの放音部がそれぞれ露出するように搭載されていると共に、裏面の中央付近には当該各フラットスピーカ１２Ａ、１２Ｂに対応するアンプ（図２に示す１５Ａ、１５Ｂ）がそれぞれ配設されている。またリア平板１１Ｂには、所定位置に複数の外部端子１３Ａ〜１３Ｃが厚み方向に貫通して配設されている。そして図２に示すように、フロント平板１１Ａの裏面に設けられた各フラットスピーカ１２Ａ、１２Ｂ及びこれに対応するアンプ１６Ａ、１６Ｂと、リア平板１１Ｂに対応して設けられた各外部端子とは、それぞれ接続コードを介して導通接続されている。
【００２０】
このスピーカ装置１０において、フロント平板１１Ａに搭載される各フラットスピーカ１２Ａ、１２Ｂは、上述した図５に示す従来の構成と同じであり、多極着磁が施された２枚のプラスティック磁石板２Ａ、２Ｂの間に、コイルが平面状に配設されたフレキシブル薄膜でなる振動板３をバッファ４Ａ、４Ｂを介して挟み込むようにして構成されている。
【００２１】
またスピーカ装置１０では、キャビネット１１の設計段階において、床面に対するフロント平板１１Ａの傾斜角度は、ユーザのリスニングポイント（聴音位置）の遠近状態に合わせて設定される。すなわちユーザが比較的遠方に置いて使用するスピーカ装置１０を製造する場合には、フロント平板１１Ａの床面に対する傾斜角度は90〔°〕に近い角度に設定される一方、ユーザが比較的近い位置に置いて使用するスピーカ装置１０を製造する場合には、フロント平板１１Ａの床面に対する傾斜角度はユーザとの距離が近くなるほど小さい角度に設定される。
【００２２】
かくしてスピーカ装置１０においては、キャビネット１１のリア平板１１Ｂに配設された各外部端子１３Ａ、１３Ｂに、ＭＤプレーヤ等の再生装置（図示せず）が接続コード１７を介して接続されると、当該再生装置から出力される音声信号をアンプ１６Ａ、１６Ｂを用いて増幅させた後、フラットスピーカ１２Ａ、１２Ｂの放音部から当該音声信号に基づく音声を放音し得る。またキャビネット１１のリア平板１１Ｂに配設された外部端子１３Ｃに電源コード（図示せず）が接続されると、当該外部端子１３Ｃから各アンプ１６Ａ、１６Ｂを介して対応するフラットスピーカ１２Ａ、１２Ｂに電源を供給し得るようになされている。
【００２３】
なおスピーカ装置１０において、キャビネット１１のサイズは、各フラットスピーカ１２Ａ、１２Ｂの放音部から出力される音声によって当該キャビネット１１自体が振動することにより生じる共振周波数に基づいて決定されるようになされている。
【００２４】
（２）携帯時又は使用時におけるキャビネット１１の変形状態
このスピーカ装置１０において、キャビネット１１は、図１に示すような床面に載置する使用時の形態のみならず、必要に応じて携帯時のようなユーザが保持し易い形態に変形し得るようになされている。
【００２５】
実際にこのスピーカ装置１０では、図３（Ａ）及び図４（Ａ）に示すような使用時の形態において、ユーザが両手を用いてキャビネット１１を形成する両サイド平板１１Ｃ、１１Ｄを外部から押圧すると、当該各サイド平板１１Ｃ、１１Ｄを形成する第１及び第２のサイド平板片１１ＣＡ、１１ＣＢ、１１ＤＡ、１１ＤＢがヒンジ部１５Ａ、１５Ｂを介してキャビネット１１内に入り込むように内側に折り畳まれると同時に、フロント平板１１Ａ及びリア平板１１Ｂ間の傾斜角も次第に小さくなる（図３（Ｂ）及び図４（Ｂ））。
【００２６】
そしてこの状態において、ユーザがフロント平板１１Ａ及びリア平板１１Ｂ間を両側から挟み込むようにキャビネット１１を把持すると、当該フロント平板１１Ａ及びリア平板１１Ｂ間の傾斜角がほぼ０に近づきながら、両サイド平板１１Ｃ、１１Ｄを形成する第１及び第２のサイド平板片１１ＣＡ、１１ＣＢ、１１ＤＡ、１１ＤＢが二つ折りに重なり合う。
【００２７】
やがてキャビネット１１が全体として略直方体形状になり（図３（Ｃ）及び図４（Ｃ））、このときユーザがフロント平板１１Ａ及びリア平板１１Ｂ間を両側から挟持する力が必要以上に大きい場合でも、積層状態にある第１及び第２のサイド平板片１１ＣＡ、１１ＣＢ、１１ＤＡ、１１ＤＢがフロント平板１１Ａ及びリア平板１１Ｂ間を支持すると同時にスペーサとして隙間を確保することにより、フロント平板１１Ａ及びリア平板１１Ｂの各裏面に配設されている各アンプ及び各外部端子が当該挟持力を直接受けることを未然に回避し得るようになされている。
【００２８】
（３）本実施の形態による動作及び効果
以上の構成において、このスピーカ装置１０では、使用時には、キャビネット１１を形成するフロント平板１１Ａ、リア平板１１Ｂ及び両サイド平板１１Ｃ、１１Ｄの下端部が同一平面でなる底面部分を形成することにより、当該底面部分を床面に対向させるようにキャビネット１１を載置した際に、フロント平板１１Ａ、リア平板１１Ｂ及び各サイド平板１１Ｃ、１１Ｄの下縁部がそれぞれ床面に当接することから、キャビネット１１の密閉性をほぼ確保することができる。
【００２９】
やがてこのスピーカ装置１０において、携帯時には、ユーザがキャビネット１１の一対のサイド平板１１Ｃ、１１Ｄを両側から押圧すると、当該各サイド平板１１Ｃ、１１Ｄの第１及び第２のサイド平板片１１ＣＡ、１１ＣＢ、１１ＤＡ、１１ＤＢがキャビネット１１内に入り込むように内側に折り畳まれると同時に、フロント平板１１Ａ及びリア平板１１Ｂ間の傾斜角度が次第に小さくなる。
【００３０】
従って、ユーザはスピーカ装置１０を使用時から携帯時に移行させるにあたって、キャビネット１１の両側を外部から押圧するだけの簡易な操作で当該キャビネット１１を変形させることができる。これに加えて携帯時への変形時に、一対のサイド平板１１Ｃ、１１Ｄがキャビネット１１の内側に入り込むことで当該キャビネット１１自体の体積が拡大することがないため、スピーカ装置１０の設置場所に制限がある場合でも比較的容易にユーザは当該スピーカ装置１０を床面に載置したままキャビネット１１を変形させることができる。
【００３１】
さらにユーザがスピーカ装置１０に対して、フロント平板１１Ａ及びリア平板１１Ｂ間を両側から挟み込むようにキャビネット１１を把持すると、当該フロント平板１１Ａ及びリア平板１１Ｂの傾斜角がほぼ０に近づきながら、両サイド平板１１Ｃ、１１Ｄを形成する第１及び第２のサイド平板片１１ＣＡ、１１ＣＢ、１１ＤＡ、１１ＤＢが二つ折りに重なり合うようにして、当該キャビネット１１が全体として略直方体形状になる。
【００３２】
そして再び使用時には、ユーザはスピーカ装置１０を、フロント平板１１Ａ及びリア平板１１Ｂを外側に広げるように開くと、これに伴いキャビネット１１の内部に折り畳まれている一対のサイド平板１１Ｃ、１１Ｄも開かれて、当該各サイド平板１１Ｃ、１１Ｄを形成する第１及び第２のサイド平板片１１ＣＡ、１１ＣＢ、１１ＤＡ、１１ＤＢ同士が徐々に平坦になることにより、キャビネット１１が携帯時から使用時へと変形する。
【００３３】
このようにスピーカ装置１０では、使用時にはキャビネット１１の内部空間を実用上十分なサイズにまで確保することができる一方、携帯時にはキャビネット１１を略直方体形状に畳み込むようにして小型化することができる。
【００３４】
またスピーカ装置１０において、キャビネット１１を形成する両側の一対のサイド平板１１Ｃ、１１Ｄを、フロント平板１１Ａ及びリア平板１１Ｂと同じプラスチック等の合成樹脂材から成形するようにしたことにより、当該各サイド平板１１Ｃ、１１Ｄを例えば蛇腹構造にした場合よりも、格段と防振効果を向上させることができる。
【００３５】
さらにスピーカ装置１０において、キャビネット１１の使用時の形状を三角柱状の箱型となるように設計したことにより、フロント平板１１Ａ、リア平板１１Ｂ及び一対のサイド平板１１Ｃ、１１Ｄからなる最小の面数で箱型を形成することができると共に、各平板間を掛合させるヒンジ部の数も最小限に抑えて、より一層小型化を図ることができる。これに加えて、キャビネット１１を形成するフロント平板１１Ａに搭載された各フラットスピーカ１２Ａ、１２Ｂの傾斜位置を自由に設定することができ、ユーザの使用形態（聴音位置）に合わせた最適な放音方向を確保することができる。
【００３６】
以上の構成によれば、このスピーカ装置１０において、キャビネット１１をフロント平板１１Ａ、リア平板１１Ｂ及び一対のサイド平板１１Ｃ、１１Ｄから形成し、使用時には当該各サイド平板１１Ｃ、１１Ｄをフロント平板１１Ａ及びリア平板１１Ｂ間を両側から塞ぐ側壁としてキャビネット１１の内部空間を実用上十分なサイズにまで確保する一方、携帯時には各サイド平板１１Ｃ、１１Ｄをフロント平板１１Ａ及びリア平板１１Ｂ間の内部に折り畳むようにして小型化するようにしたことにより、各フラットスピーカ１２Ａ、１２Ｂを搭載したキャビネット１１の形状を使用時の不具合防止と携帯時の小型化とを両方兼ね備えることができ、かくして小型化による携帯性を格段と向上することができるスピーカ装置１０を実現できる。
【００３７】
（４）他の実施の形態
なお上述の本実施の形態においては、本発明を図１のようなスピーカ装置１０に適用するようにした場合について述べたが、本発明はこれに限らず、要はスピーカが搭載されたスピーカ装置を使用時又は携帯時でキャビネットを変形させることができれば、この他種々の構成からなるスピーカ装置に広く適用することができる。
【００３８】
また上述の実施の形態においては、スピーカ装置１０のキャビネット１１を、フラットスピーカ（スピーカ）１２Ａ、１２Ｂの放音部が露出して搭載されたフロント平板（前壁部材）１１Ａと、当該フロント平板に対向するリア平板（後壁部材）１１Ｂと、フロント平板（前壁部材）１１Ａ及びリア平板（後壁部材）１１Ｂの両側端に掛合された一対のサイド平板（側壁部材）１１Ｃ、１１Ｄとから形成するようにした場合について述べたが、本発明はこれに限らず、要は、一対のサイド平板（側壁部材）１１Ｃ、１１Ｄがフロント平板（前壁部材）１１Ａ及びリア平板（後壁部材）１１Ｂ間の内部に折り畳み自在に形成されていれば、この他種々の構成からなるキャビネットに広く適用することができる。
【００３９】
この場合、キャビネット１１の形状を、使用時には、各サイド平板（側壁部材）１１Ｃ、１１Ｄがフロント平板（前壁部材）１１Ａ及びリア平板（後壁部材）１１Ｂの両側壁を形成してキャビネット１１全体を箱型形状にする一方、携帯時には、各サイド平板（側壁部材）１１Ｃ、１１Ｄがフロント平板（前壁部材）１１Ａ及びリア平板（後壁部材）１１Ｂ間の内部に折り畳まれるようにしたが、要は、使用時には、キャビネット１１の底面部分が床面に当接するように当該キャビネット１１を載置した際にその密閉性をほぼ確保することができれば良く、一方、携帯時にはキャビネット自体を折り畳んで小型化することができれば良い。
【００４０】
この場合、各サイド平板（側壁部材）１１Ｃ、１１Ｄを、それぞれ第１及び第２のサイド平板片１１ＣＡ、１１ＣＢ、１１ＤＡ、１１ＤＢがヒンジ部１５Ａ、１５Ｂを介して掛合された構成からなるようにした場合について述べたが、本発明はこれに限らず、要は、フロント平板（前壁部材）１１Ａ及びリア平板（後壁部材）１１Ｂ間の内部に折り畳まれる構造を有していれば、側壁部材の構造はこの他種々のものを適用するようにしても良い。
【００４１】
またキャビネット１１を、プラスティック材等の合成樹脂材からなるようにした場合について述べたが、本発明はこれに限らず、使用時の密閉性を実用上十分な程度に確保することができれば、金属や陶器等の種々の材質のものを適用しても良く、さらにはキャビネット１１の厚みも例えば１〔mm〕程度のように自由に設定するようにしても良い。
【００４２】
さらに上述の実施の形態においては、キャビネット１１を形成する各サイド平板（側壁部材）１１Ｃ、１１Ｄ、携帯時には、フロント平板（前壁部材）１１Ａ及びリア平板（後壁部材）１１Ｂ間を支持するようにした場合について述べたが、本発明はこれに限らず、要は、フロント平板（前壁部材）１１Ａ及びリア平板（後壁部材）１１Ｂ間を両側から挟持する力が必要以上に大きく働いた場合でも、折り畳まれた状態にある各サイド平板（側
壁部材）１１Ｃ、１１Ｄが、当該フロント平板（前壁部材）１１Ａ及びリア平板（後壁部材）１１Ｂ間を支持し、さらにはフロント平板（前壁部材）１１Ａ及びリア平板（後壁部材）１１Ｂ間に設けられたアンプ１６Ａ、１６Ｂ及び又は外部端子１３Ａ〜１３Ｃのスペーサとして隙間を確保することができれば、携帯時の形状をこの他種々の形状に適用するようにしても良い。なお本実施の形態では、アンプ１６Ａ、１６Ｂをフロント平板（前壁部材）１１Ａの裏面に配設するようにした場合について述べたが、リア平板（後壁部材）１１Ｂに配設するようにしても良い。
【００４３】
さらに上述の実施の形態においては、使用時におけるキャビネット１１の形状は、フロント平板（前壁部材）１１Ａ、リア平板（後壁部材）１１Ｂ及び各サイド平板（側壁部材）１１Ｃ、１１Ｄからなる三角柱状の箱型でなるようにした場合について述べたが、比較的最上限の面数で箱型を形成するようにして、各平板（部材）間を掛合させるヒンジ部の数も最小限に抑えて、より一層小型化を図ることができれば、キャビネットの形状はこの他種々の形状のものに広く適用することができる。
【００４４】
さらに上述の実施の形態においては、キャビネット１１のフロント平板（前壁部材）１１Ａに搭載されたフラットスピーカ（スピーカ）１２Ａ、１２Ｂの傾斜角度を、ユーザの聴音位置に合わせて設定するようにした場合について述べたが、要は、キャビネット１１の使用時の形状を設計する際に、フラットスピーカ（スピーカ）１２Ａ、１２Ｂの傾斜角度を設定するようにすれば良い。
【産業上の利用可能性】
【００４５】
スピーカ装置において、携帯用のＭＤプレーヤやＣＤ（Compact Disc）に対してセット販売又はオプション販売されるスピーカ等に適用することができる。
【図面の簡単な説明】
【００４６】
【図１】本実施の形態によるスピーカ装置の構成を示す略線的な斜視図である。
【図２】図１の各フラットスピーカ及び対応する外部端子の接続状態の説明に供する略線的なブロック図である。
【図３】使用時から携帯時へのキャビネットの状態を表す略線的な斜視図である。
【図４】使用時から携帯時へのキャビネットの状態を表す略線的な下面図である。
【図５】従来のフラットスピーカの構成を示す略線的な断面図である。
【符号の説明】
【００４７】
１、１２Ａ、１２Ｂ……フラットスピーカ、１０……スピーカ装置、１１……キャビネット、１１Ａ……フロント平板、１１Ｂ……リア平板、１１Ｃ、１１Ｄ……サイド平板、１１ＣＡ、１１ＣＢ、１１ＤＡ、１１ＤＢ……第１及び第２のサイド平板片、１３Ａ〜１３Ｃ……外部端子、１４Ａ〜１４Ｄ、１５Ａ、１５Ｂ……ヒンジ部、１６Ａ、１６Ｂ……アンプ。
【図１】
2005109545.tif 000003
【図２】
2005109545.tif 000004
【図３】
2005109545.tif 000005
【図４】
2005109545.tif 000006
【図５】
2005109545.tif 000007